(57)【特許請求の範囲】
【請求項１】
エレベータかご内のかご内映像を撮影する監視カメラと、
前記エレベータかご内に設置された表示部と、
前記かご内映像を解析して、前記エレベータかご内の搭乗者の外観を判別する映像解析部と、
前記判別結果に基づいて異なる表示内容を前記表示部に表示する映像表示部と
を備え、
前記映像解析部は、前記搭乗者の前記外観から性別毎の人数を判別することを特徴とするエレベータかご内の表示装置。
【請求項２】
前記映像表示部は、前記映像解析部が前記エレベータかご内に男性のみが乗っていると判別したときには、防犯映像以外の前記表示内容を前記表示部に表示することを特徴とする請求項１記載のエレベータかご内の表示装置。
【請求項３】
前記映像解析部は、前記搭乗者の前記外観から年齢層別の人数を判別することを特徴とする請求項１または２記載のエレベータかご内の表示装置。
【請求項４】
前記映像表示部は、前記判別結果に基づいて、防犯用の前記表示内容を前記表示部に表示することを特徴とする請求項１又は２に記載のエレベータかご内の表示装置。
【請求項５】
前記映像解析部は前記エレベータかご内に、予め登録された外観を有する人物以外の人物が居るかどうかを判別し、肯定的な判別がなされたときに前記映像表示部は防犯用の前記表示内容を前記表示部に表示することを特徴とする請求項１ないし４のいずれかに記載のエレベータかご内の表示装置。
【請求項６】
（ａ）エレベータかご内の映像を解析して、搭乗者の外観を判別するステップと、
（ｂ）前記判別結果に基づいて異なる表示内容を表示するステップと
を実行し、
前記ステップ（ａ）は、エレベータかご内の映像を解析して、前記搭乗者の前記外観から性別毎の人数を判別するステップであることを特徴とすることを特徴とするエレベータかご内の表示方法。
【請求項７】
前記ステップ（ａ）において前記エレベータかご内に男性のみが乗っていると判別したときには、前記ステップ（ｂ）において防犯映像以外の前記表示内容を前記表示部に表示することを特徴とする請求項６に記載のエレベータかご内の表示方法。
【発明の詳細な説明】
【技術分野】
【０００１】
本発明は、エレベータかご内の表示装置およびエレベータかご内の表示方法に関し、特にエレベータかご内の防犯機能に関する。
【背景技術】
【０００２】
エレベータに、女性もしくは子供が一人で乗るときに、一人以上の見知らぬ男性が同時に乗る場合、女性もしくは子供が不安に思っても他の人に遠慮して防犯動作を起こせない場合がある。上記問題を解決するために、常時防犯用の映像をエレベータかご内のモニタに表示すると、その他一般の情報提供の効率が下がる。
【０００３】
このような課題を解決する技術として、特許文献１の技術を利用することができる。特許文献１記載の技術では、監視カメラによって撮影されたエレベータかご内の映像、文字放送を受信して得られた映像、予め記録しているメッセージ映像等を、一定時間ごとに切り替えて、エレベータかご内のモニタに表示している。すなわち、エレベータかご内の映像を一定時間毎に表示することで防犯動作を行い、当該映像が表示されるとき以外の時間に一般情報を提供する映像を表示している。
【０００４】
また、本発明に関わる技術として、画像解析によって人物の年齢、性別を判別する技術が非特許文献１および２が開示されている。
【０００５】
【特許文献１】特開平１１−３４９２４２号公報
【非特許文献１】中野  実代子、“年齢・性別・人種推定のための知的特徴抽出と推定の自動化”、[online]、２００５年、電気通信普及財団、[平成１８年３月１日検索]、インターネット<URL:http://www.taf.or.jp/publication/kjosei_20/pdf/p504.pdf>
【非特許文献２】山瀬  弘之、“カラー全身像を用いた男女識別”、[online]、１９９６年２月１６日、奈良先端科学技術大学大学院、[平成１８年３月１日検索]、インターネット<URL:http://chihara.aist-nara.ac.jp/public/research/thesis/master/96/yamase9451118.pdf>
【発明の開示】
【発明が解決しようとする課題】
【０００６】
しかしながら、特許文献１記載の技術では、一定の時間毎に防犯用の映像および一般情報を提供する映像が交互に表示されるため、例えば、エレベータかご内を占める人数が一人である場合でも、防犯用の映像がモニタに表示されることになり、情報の提供効率が十分ではないという問題があった。
【０００７】
そこで、本発明は、自動で防犯情報を提供するとともに、効率のよい情報提供を実現するエレベータかご内の表示装置を提供することを目的とする。
【課題を解決するための手段】
【０００８】
本発明にかかる請求項１記載のエレベータかご内の表示装置は、エレベータかご内のかご内映像を撮影する監視カメラと、前記エレベータかご内に設置された表示部と、前記かご内映像を解析して、前記エレベータかご内の搭乗者の外観を判別する映像解析部と、前記判別結果に基づいて異なる表示内容を前記表示部に表示する映像表示部とを備え、前記映像解析部は、前記搭乗者の前記外観から性別毎の人数を判別することを特徴とする。
【０００９】
本発明にかかる請求項２記載のエレベータかご内の表示装置は、請求項１記載のエレベータかご内の表示装置であって、映像表示部は、前記映像解析部が前記エレベータかご内に男性のみが乗っていると判別したときには、防犯映像以外の前記表示内容を前記表示部に表示することを特徴とする。
【００１０】
本発明にかかる請求項３記載のエレベータかご内の表示装置は、請求項１または２記載のエレベータかご内の表示装置であって、前記映像解析部は、前記搭乗者の前記外観から年齢層別の人数を判別することを特徴とする。
【００１２】
本発明にかかる請求項４記載のエレベータかご内の表示装置は、請求項１又は２に記載のエレベータかご内の表示装置であって、前記映像表示部は、前記判別結果に基づいて、防犯用の前記表示内容を前記表示部に表示することを特徴とする。
【００１３】
本発明にかかる請求項５記載のエレベータかご内の表示装置は、請求項１ないし４のいずれかに記載のエレベータかご内の表示装置であって、前記映像解析部は前記エレベータかご内に、予め登録された外観を有する人物以外の人物が居るかどうかを判別し、肯定的な判別がなされたときに前記映像表示部は防犯用の前記表示内容を前記表示部に表示することを特徴とする。
【００１４】
本発明にかかる請求項６記載のエレベータかご内の表示方法は、（ａ）エレベータかご内の映像を解析して、搭乗者の外観を判別するステップと、（ｂ）前記判別結果に基づいて異なる表示内容を表示するステップとを実行し、前記ステップ（ａ）は、エレベータかご内の映像を解析して、前記搭乗者の前記外観から性別毎の人数を判別するステップであることを特徴とする。
【００１５】
本発明にかかる請求項７記載のエレベータかご内の表示方法は、請求項６記載のエレベータかご内の表示方法であって、前記ステップ（ａ）において前記エレベータかご内に男性のみが乗っていると判別したときには、前記ステップ（ｂ）において防犯映像以外の前記表示内容を前記表示部に表示することを特徴とする。
【発明の効果】
【００１６】
請求項１，２，５，６，７記載の発明によれば、エレベータ内を占める搭乗者に応じて、最適な情報を表示部へ表示することができる。しかも、搭乗者の多数を占める性別の情報を損なうことなく、最適な情報を表示部に表示することができる。
【００１８】
請求項３記載の発明によれば、搭乗者の多数を占める年齢層の情報を損なうことなく、最適な情報を表示部に表示することができる。
【００１９】
請求項４記載の発明によれば、必要とする場合のみ防犯用の情報を表示部に表示することができ、情報の提供効率を向上することができる。
【発明を実施するための最良の形態】
【００２０】
（実施の形態）
本発明にかかる実施の形態のエレベータかご内の表示装置の概略構成図を図１に示す。エレベータかご１０には、モニタ１１と、搭乗者が行き先の階を選択する操作部１２と、エレベータかご１０内のかご内映像を撮影する監視カメラ３０と、監視カメラ３０およびモニタ１１と通信ラインを介してそれぞれ接続された映像表示装置２０が設置されている。
【００２１】
映像表示装置２０は、映像解析部２１と、制御部２２と、記録媒体２３と、映像機能部２４と、表示機能部２５とを備えている。映像解析部２１は、監視カメラ３０からのかご内映像を画像解析し、エレベータかご１０内の搭乗者の外観を判別して、エレベータかご１０内を占める搭乗者の性別毎の人数、子供（年齢層別）の人数を判別する。
【００２２】
制御部２２は、映像解析部２１からの判別結果に基づいて、モニタ１１に表示すべき映像を選択し、当該映像を再生する制御信号を映像機能部２４へ出力する。
【００２３】
映像機能部２４は、受け取った制御信号に基づいて監視カメラ３０からのかご内映像、記録媒体２３に保存された複数種類の映像を選択的に表示機能部２５に出力することができる。また、映像機能部２４は監視カメラ３０からのかご内映像を記録媒体２３に記録することができる。
【００２４】
表示機能部２５は、映像機能部２４から出力された映像を受け取ってモニタ１１に当該映像を表示する。
【００２５】
記録媒体２３には、上述したように複数種類の映像が記録される。複数種類の映像とは、例えば図２（ａ）に示すようなエレベータの防犯機能を説明する防犯映像、図２（ｂ）に示すようなエレベータ点検日を告知する告知映像等である。なお、これらの映像は、映像表示装置２０の外部から入力されて、制御部２２によって記録媒体２３に記録できる態様であっても良い。
【００２６】
なお、制御部２２、映像機能部２４、表示機能部２５を映像表示部とみなすことができる。すなわち、映像表示部は映像解析部２１からの判別結果に基づいて異なる表示内容をモニタ１１に表示する。
【００２７】
続いて、本実施の形態にかかるエレベータかご内の表示装置の動作の一例を図２に示すフローチャートを参照して説明する。
【００２８】
まず、ステップＳ１にて、映像解析部２１は、監視カメラ３０で撮影したかご内映像を解析して、エレベータかご１０内の搭乗者の外観を判別して、性別、大人か子供かを判別する。具体的には、例えば、以下の手法で性別および大人か子供かを判別する。まず、肌色抽出等で搭乗者の顔領域を決定し、カラー画像を輝度値のみの白黒濃淡画像に変換する。ソーベルフィルタによって、顔領域におけるエッジ情報（しわ、目、口等）を検出し、エッジ画像の垂直方向および水平方向の累積ヒストグラムを求める。
【００２９】
そして、複数のサンプル画像による累積ヒストグラムのパターンをＮＮ（ニューラルネットワーク）に学習させて、搭乗者の累積ヒストグラムから性別および大人か子供かの判別を行う。つまり、顔の皺、目、口の形状等から性別および大人か子供かの判別を行う。（中野  実代子、“年齢・性別・人種推定のための知的特徴抽出と推定の自動化”、[online]、２００５年、電気通信普及財団、[平成１８年３月１日検索]、インターネットURL:http://www.taf.or.jp/publication/kjosei_20/pdf/p504.pdf参照）
【００３０】
また、例えば、搭乗者のいくつかの特徴を抽出して性別を判別する手法を用いても良い。本手法では、まず背景画像との差分から人物領域を抽出する。人物領域の上部６分の１の領域から黒色、肌色抽出等で顔領域と髪の毛領域を決定し、髪の毛の長さを求める。次に、人物領域の上から３／５以下かつ下から１／８以上の領域に対してソーベルフィルタによってスカートの裾のエッジを検出する。髪の毛の長さ、スカートの裾のエッジ部に応じてそれぞれ数値を与え、それらの数値をひとつの特徴ベクトルとして把握する。
【００３１】
複数のサンプル画像による特徴ベクトルからＫ平均法を用いてクラスタリングを行って男性特徴ベクトルモデル、女性特徴ベクトルモデルを決定し、搭乗者の特徴ベクトルと男性特徴ベクトルモデルとの距離および搭乗者の特徴ベクトルと女性特徴ベクトルモデルとの距離に基づいて性別を決定する。つまり、髪の毛の長さ、スカートをはいているか否かで性別の判別を行う。（山瀬  弘之、“カラー全身像を用いた男女識別”、[online]、１９９６年２月１６日、奈良先端科学技術大学大学院、[平成１８年３月１日検索]、インターネットURL:http://chihara.aist-nara.ac.jp/public/research/thesis/master/96/yamase9451118.pdf参照）
【００３２】
また、例えば、搭乗者の身長を検出して大人か子供かを判別する手法を組み合わせてもよい。本手法では、同様に背景画像との差分から抽出した人物領域から身長を求める。例えば、全国の小学校６年生の平均身長、標準偏差から身長１６０ｃｍ以上であれば、大人と判別し、１６０ｃｍ未満であれば子供と判別する。また、全国の高校３年生の女性の平均身長、標準偏差から身長１７５ｃｍ以上であれば、成人男性と判別する。
【００３３】
なお、本発明は上記手法のいずれを用いても良く、その他の手法を用いても良い。また、上記手法のそれぞれに重み付けをして組み合わせて用いてもよい。この場合、判別精度を向上することができる。
【００３４】
ステップＳ２にて、ステップＳ１で搭乗者の外観を判別した結果に基づいて、成人男性の人数、成人女性の人数、子供の人数を判別し、以下の３つの場合に分けてそれぞれ異なる動作を実行する。
【００３５】
ステップＳ２で判別した結果、エレベータかご１０内に一人しか乗っていない場合、または成人男性だけが乗っている場合、または成人女性、子供が複数人乗っている場合は、ステップＳ３にて、制御部２２は、記録媒体２３に記録されている告知映像を選択する制御信号を映像機能部２４に出力する。映像機能部２４は、記録媒体２３から告知映像を取り出し、表示機能部２５に出力する。表示機能部２５は受け取った告知映像をモニタ１１に表示する。
【００３６】
ステップＳ２で判別した結果、エレベータかご１０内に成人女性または子供一人と、他に成人男性を含む３人以上が乗っている場合は、ステップＳ４にて、制御部２２は、記録媒体２３に記録されている防犯映像および告知映像を選択する制御信号を映像機能部２４に出力する。映像機能部２４は、記録媒体２３から防犯映像および告知映像を取り出し、表示機能部２５に出力する。表示機能部２５は受け取った防犯映像および告知映像をモニタ１１に表示する。なお、防犯映像と告知映像は、例えば、一定期間毎に交互に切り替えて表示しても良く、画面を分割して同時に表示しても良い。
【００３７】
ステップＳ２で判別した結果、エレベータかご１０内に成人女性または子供一人と、成人男性一人が乗っている場合は、ステップＳ５にて、制御部２２は、記録媒体２３に記録されている防犯映像を選択する制御信号を映像機能部２４に出力する。映像機能部２４は、記録媒体２３から防犯映像を取り出し、表示機能部２５に出力する。表示機能部２５は受け取った防犯映像をモニタ１１に表示する。すなわち、このときモニタ１１には常時防犯映像が表示される。
【００３８】
なお、防犯映像としては記録媒体２３に記録された防犯映像のみならず、監視カメラ３０で撮影されたかご内映像をさらに表示しても良く、防犯映像としてかご内映像のみを表示しても良い。同様に、告知映像を表示する場合は一般商品の広告映像を表示しても良い。
【００３９】
以上のように、エレベータ内の状況に応じて、防犯情報、一般情報をモニタ１１に表示することができ、情報の提供効率を向上することができる。また、防犯動作を必要とするときは、防犯映像がモニタ１１に表示されるので、他の人に遠慮して自ら防犯動作を起こせなくとも構わない。
【００４０】
なお、本実施の形態では子供と成人女性を保護対象とみなしているが、これに限らず、例えば、７０才以上の人を保護対象とみなす態様であってもよい。
【００４１】
なお、本実施の形態で述べた判別基準は一例であって、例えば、エレベータを主に利用する搭乗者の外観データを、許可を得て登録しておき、当該データから外れる外観を備える人物がエレベータ内にいるときに、防犯動作を行ってもよい。この場合、当該エレベータを主に利用する搭乗者を保護対象とみなしている。
【００４２】
なお、本実施の形態では、エレベータかご１０内の搭乗者に応じて、防犯映像、告知映像等、異なる表示内容をモニタ１１に表示する態様で説明しているが、これに限らない。例えば、エレベータ内の搭乗者に応じて、複数の商品広告を選択的にモニタに表示する態様でも構わない。例えば、エレベータかご１０内に子供が多数乗っている場合に、おもちゃの商品広告をモニタ１１に表示し、２０代の人が多数乗っている場合に、若者向けの商品広告をモニタ１１に表示することで、情報提供効率を向上することができる。
【図面の簡単な説明】
【００４３】
【図１】本発明にかかるエレベータかご内の映像記録装置の概略構成図である。
【図２】映像の種類を示す図である。
【図３】実施の形態１にかかるエレベータかご内の映像記録装置の動作を示すフローチャートである。
【符号の説明】
【００４４】
１０  エレベータかご
１１  モニタ
２１  映像解析部
２２  制御部
２４  映像機能部
２５  表示機能部
３０  監視カメラ
【図１】
0005152774.tif 000002
【図２】
0005152774.tif 000003
【図３】
0005152774.tif 000004